(57)【要約】マルチモード無線通信装置（１００）が、１つ以上の２次基準位相ロック・ループ（ＰＬＬ）の必要性を避けるため、累算器型「レイヤ１」タイマ（１５０）を用いて、ＧＳＭ／ＴＤＭＡ／ＥＤＧＥに対して同時タイムベース・モニタリングを与える。そのようなタイマの使用が、追加の専用基準ＰＬＬを用いずに、並びに複数の集積回路（ＩＣ）ピン及び幾つかの外部部品を節約して、ＧＳＭ及びＴＤＭＡ同期要件の唯のディジタル手段による達成を可能にする。また、そのようなタイマの使用により、実時間のソフトウエア調整を必要としない。本発明は以下の更なる利点を与える。即ち、同時マルチモードのサポート、少ない部品点数及びコスト節約、水晶だけの整定時間に起因したディープ・スリープ・モードからの早い回復、及びマルチモード即ちディープ・スリープ・モードの単純化（様々なクロック周波数よりむしろ単一の水晶クロック周波数関係のみを追跡すればよいため）、及びハード資源が維持された同期を持つ１つの基準クロックから導出された１つのクロック源を用いてクロックされるので、全てのモードに対して同じハード資源の共用化を可能にすることによりディジタル信号処理を単純化することである。
2004526343.tif 000002
【特許請求の範囲】
【請求項１】
共用化されたクロック源（１１０）を用いたマルチモード無線通信装置（１００）であって、
水晶（１１０）に結合され、それからＡＦＣ制御されたクロック源信号を導出する手段と、
前記クロック源信号を受け取り且つそれから、無線装置のＲＸ部及び／又はＴＸ部（１６０）に供給されるべき異なるクロック信号（ｆｏｖｓ＿ＲＸ，ｆｏｖｓ＿ＴＸ）を導出する基準ＰＬＬ（１２０）と、
それぞれがマルチモードの各モードにおいてタイムベースの同期を維持する、複数の累算器タイマ（１５０）と、を備え、
前記複数の累算器タイマのそれぞれが、その増分信号として、前記のＡＦＣ手段から導出された信号、及びクロック源信号周波数とマルチモードの各モードの周波数との比を表す信号（（１＋ａｆｃ）×Ｄｅｎ／Ｎｕｍ））を用いるよう構成されている、マルチモード無線通信装置。
【請求項２】
マルチモードのうちの複数の異なるモードのＡ／Ｄ部又はＤ／Ａ部（１４０）が、それらのクロック信号を前記クロック源信号又は前記基準ＰＬＬから導出するよう構成されている請求項１記載のマルチモード無線通信装置。
【請求項３】
前記累算器タイマ（１５０）が、
前記クロック源、又は
前記基準ＰＬＬのクロック出力、又は
ディープ・スリープ・モードで動作するとき実時間クロック源
から選択される同じクロック信号により駆動される
請求項１又は２記載のマルチモード無線通信装置。
【請求項４】
前記累算器タイマが、前記クロック信号の選択に依存した異なる信号により増分されるよう構成されている請求項３記載のマルチモード無線通信装置。
【請求項５】
前記累算器タイマ（１５０）が、異なる基準周波数調整を有する２つ又はそれより多い基地局間の前記無線通信装置の周波数誤差に依存した異なるＡＦＣ値でもって増分されるよう構成されている請求項１から４のいずれか一項に記載のマルチモード無線通信装置。
【請求項６】
ＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）、
ＧＳＭ（Ｇｅｎｅｒａｌ Ｓｙｓｔｅｍ ｆｏｒ Ｍｏｂｉｌｅ Ｃｏｍｍｕｎｉｃａｔｉｏｎｓ）、
ＥＤＧＥ（Ｅｎｈａｎｃｅｄ Ｄｉｇｉｔａｌ ＧＳＭ Ｅｑｕｉｐｍｅｎｔ）、及び
時分割多元接続（ＴＤＭＡ）
から選定された複数のモードで動作するよう構成されている請求項１から５のいずれか一項に記載のマルチモード無線通信装置。
【請求項７】
共用化されたクロック源（１１０）を用いたマルチモード無線通信装置（１００）に使用の集積回路装置であって、
水晶（１１０）に結合され、それからＡＦＣ制御されたクロック源信号を導出する手段と、
前記クロック源信号を受け取り且つそれから、無線装置のＲＸ部及び／又はＴＸ部（１６０）に供給されるべき異なるクロック信号（ｆｏｖｓ＿ＲＸ，ｆｏｖｓ＿ＴＸ）を導出する基準ＰＬＬ（１２０）と、
それぞれがマルチモードの各モードにおいてタイムベースの同期を維持する、複数の累算器タイマ（１５０）と、を備え、
前記複数の累算器タイマのそれぞれが、その増分信号として、前記のＡＦＣ手段から導出された信号、及びクロック源信号周波数とマルチモードの各モードの周波数との比を表す信号（（１＋ａｆｃ）×Ｄｅｎ／Ｎｕｍ））を用いるよう構成されている、集積回路装置。
【請求項８】
単一のクロック源から導出されたクロックを用いることによりマルチモード処理が同じ処理ブロックを共用するよう構成されたディジタル信号処理回路を更に備える請求項７記載の集積回路装置。
【発明の詳細な説明】
【０００１】
［発明の分野］
本発明は、マルチモード無線通信装置、即ち、汎用移動通信システム（ＵＭＴＳ：Ｕｎｉｖｅｒｓａｌ Ｍｏｂｉｌｅ Ｔｅｌｅｃｏｍｍｕｎｉｃａｔｉｏｎｓ Ｓｙｓｔｅｍ）及び移動通信用汎用システム（ＧＳＭ：Ｇｅｎｅｒａｌ Ｓｙｓｔｅｍ ｆｏｒ Ｍｏｂｉｌｅ Ｃｏｍｍｕｎｉｃａｔｉｏｎｓ）モード、又はＧＳＭ及び増強されたディジタルＧＳＭ装置（ＥＤＧＥ：Ｅｎｈａｎｃｅｄ Ｄｉｇｉｔａｌ ＧＳＭ Ｅｑｕｉｐｍｅｎｔ）及び時分割多元接続（ＴＤＭＡ：Ｔｉｍｅ Ｄｉｖｉｓｉｏｎ Ｍｕｌｔｉｐｌｅ Ａｃｃｅｓｓ）モードで動作し得るいわゆる第３世代（３Ｇ）無線装置のような多数の異なるモードの１つで動作することができるマルチモード無線通信装置に関する。
【０００２】
［発明の背景］
本発明の分野においては、マルチモード無線装置が２つ又はそれより多い水晶を用い、その水晶のそれぞれが異なるモードの動作周波数を表すよう選定され、当該異なるモードの動作周波数が、１つの動作モード（ＭＡ）から別のモードに変わるとき切り替えられることが知られている。そのようなアプローチは、それが同時のマルチモード動作を可能にする利点を持つ。
【０００３】
しかしながら、このアプローチは、それが多数の異なる水晶を必要とするのでコスト面で有効でなく（多数の異なる水晶は通常非常に高く、動作周波数の要求される精度に依存している。）、その多数の異なる水晶のそれぞれは、自動周波数制御（ＡＦＣ）を必要とし、それは更にコスト及び回路の大きさを増大させる。
【０００４】
また、ＭＡ間（例えば、ＧＳＭからＷＢＣＤＭＡへ、又はＷＢＣＤＭＡからＧＳＭへ、又はＧＳＭからＥＤＧＥへ、又はＥＤＧＥからＷＢＣＤＭＡへ）の早いハンドオーバは、タイムベースの同期が「ディープ・スリープ」モード（電力のオン及びオフ）能力を持つ異なるＭＡを用いて異なる基地局間で維持されることを必要とする。
【０００５】
国際特許出願Ｎｏ．ＷＯ−Ａ１−９８２１８１９（ノキア（Ｎｏｋｉａ））は、移動通信装置に使用の周波数発生器を記載する。その周波数発生器は、幾つかの異なるモードに対して異なる周波数を発生することができる。
【０００６】
異なる周波数は、共通基準周波数発振器により発生される。ルーテジャ部門（Ｌｕｔｅｇｅｒ  ｄｉｖｉｓｉｏｎ’ｓ）が様々の異なる出力周波数を生成するように実行した。
従って、前述の不利益を軽減し得る、共用化されたクロック源を用いたマルチモード無線通信装置を提供する必要性が存在する。
【０００７】
［発明の陳述］
本発明の第１の局面に従って、請求項１に記載されたように、共用化されたクロック源を用いたマルチモード無線通信装置が提供される。
【０００８】
本発明の第２の局面に従って、請求項７に記載されるように、共用化されたクロック源を用いたマルチモード無線通信装置に使用の集積回路が提供される。
簡潔に述べると、好適な実施形態において、本発明は、１つ又はそれより多い２次基準位相ロック・ループ（ＰＬＬ）の必要性を避けるため、累算器型「レイヤ１」タイマ（Ａｃｃｕｍｕｌａｔｏｒ  Ｔｙｐｅ  ‘Ｌａｙｅｒ  １’  ｔｉｍｅｒｓ）を用いた、ＧＳＭ／ＴＤＭＡ／ＥＤＧＥのための同時タイムベースのモニタリングを実現する。累算器レイヤ１タイマの使用により、追加の専用基準ＰＬＬを用いないで、並びに複数の集積回路（ＩＣ）ピン及び幾つかの外部部品を節約して、ＧＳＭ同期仕様（ＧＳＭ５．１０）で指定されている同じ要件、及びＴＤＭＡ同期要件の唯のディジタル手段による達成が可能になる。また、累算器レイヤ１タイマの使用により、実時間のソフトウエア調整を必要としない。
【０００９】
本発明を組み込む共用化されたクロック源を用いた１つのマルチモード無線通信装置が、ここで添付図面を参照して、例示のみにより説明されるであろう。
【００１０】
［好適な実施形態の説明］
簡潔に述べると、好適な実施形態において、本発明は、１つ又はそれより多い２次基準位相ロック・ループ（ＰＬＬ）の必要性を避けるため、累算器型「レイヤ１」タイマを用いた、ＧＳＭ／ＴＤＭＡ／ＥＤＧＥのための同時タイムベース・モニタリングを実現する。累算器レイヤ１タイマの使用は、追加の専用基準ＰＬＬを用いないで、並びに複数の集積回路（ＩＣ）ピン及び幾つかの外部部品を節約して、ＧＳＭ同期仕様（ＧＳＭ５．１０）で指定されている同じ要件、及びＴＤＭＡ同期要件の唯のディジタル手段による達成を可能にする。また、累算器レイヤ１タイマの使用により、実時間のソフトウエア調整を必要としない。
【００１１】
図１に示されるように、マルチモード・セルラ無線電話トランシーバ１００は、単一の周波数水晶１１０に基づく共用化されたクロック源を用い、その単一の周波数水晶１１０は、基準ＰＬＬ部１２０、フラクショナルＮ ＰＬＬ部（ｆｒａｃｔｉｏｎａｌ  Ｎ  ＰＬＬ  ｓｅｃｔｉｏｎ）１３０、アナログ／ディジタル制御部１４０（自動周波数制御−ａｆｃ−検出及び測定を含む。）、及び装置の各動作モードで使用のそれぞれの累算器型「レイヤ１」タイマを与えるエアー・インターフェース・タイマ部１５０（以下でより詳細に説明する。）を駆動するよう結合される。マルチモード無線通信装置１００はまたＲＸ／ＴＸ部１６０を有し、そのＲＸ／ＴＸ部１６０は、受信／送信周波数信号ｆｏｖｓ＿ＲＸ／ｆｏｖｓ＿ＴＸを基準ＰＬＬ部１２０から受け取り、またフラクショナルＮ ＰＬＬ部１３０からの信号出力を受け取る。ＲＸ／ＴＸ部１６０はまた、受信／送信データ信号ＲＸＤａｔａＳＳＩ／ＴＸＤａｔａＳＳＩをアナログ／ディジタル制御部１４０と交換し、そのアナログ／ディジタル制御部１４０は、周波数補正信号ａｆｃをフラクショナルＮ ＰＬＬ部１３０に与え、また（以下でより詳細に説明されるように）それぞれの周波数補正信号（１＋ａｆｃ）×Ｄｅｎ／Ｎｕｍをエアー・インターフェース・タイマ部１５０内のエアー・インターフェース・タイマに与える。
【００１２】
エアー・プロトコル・タイマ・ユニット
ここでまた図２を参照すると、エアー・インターフェース・タイマ部１５０において、各累算器型「レイヤ１」タイマ２００は、加算要素２１０及びレジスタ２２０を備える。レジスタ２２０が水晶周波数ｆｘｔａｌ／２で駆動され、そして加算要素２１０が、レジスタ２２０の出力と、図１のアナログ／ディジタル制御部１４０からの補正値（１＋ａｆｃ）Ｄｅｎ／Ｎｕｍとを加算する。従って、レジスタ２２０の出力はＬビット値を備え、そのＬビットのうちのＫビットは整数値を表し、そしてＬ−Ｋビットは分数値を表す。
【００１３】
こうして、各タイマ２００は次の関数を実行することが認められるであろう。
【００１４】
【数１】
2004526343.tif 000003
ここで、ａｆｃは正か又は負かのいずれかであり得る周波数補正値であり、ｎは水晶周波数ｆｘｔａｌ／２の各クロック期間に対するインデックス時間（ｉｎｄｅｘ  ｔｉｍｅ）であり、Ｄｅｎ／Ｎｕｍは、タイマの動作モードに対して要求されるクロック周波数と、水晶により与えられるクロック周波数との比（例えば、ＴＤＭＡ周波数及びＧＳＭ周波数、即ち、Ｄｅｎ／Ｎｕｍ＝１９．４４ＭＨｚ／１３ＭＨｚ＝４８６／３２５）である。
【００１５】
レイヤ１タイマがＧＳＭタイムベースに対して用いられるケース１を考慮すると、Ｎｕｍ＝Ｄｅｎ＝１である。
ａｆｃ＝０、即ち、水晶の周波数誤差が無いと仮定すると、タイマ値は０，１，２，３，４，…で開始し、そこでその値は、ｆｘｔａｌ／２のクロック期間の数に対応する。
【００１６】
（およそ）−２０％の水晶周波数誤差を持ち、ａｆｃ＞０、即ち、ａｆｃ＝＋１／５を仮定すると、タイマ値は、０，１．２，２．４，３．６，４．８，６，７．２，…で開始し、それによりタイマは既に値ａｆｃにより補正され済みとされる。こうして、タイマ・レジスタ値は、エアー・プロトコル・タイミング値に対応する。このレジスタ値は、Ｋビットにわたる非分数、及びＬ−Ｋビットにわたる分数を含む。従って、このケースにおいては、タイマ解像度は、ａｆｃ／ｆｘｔａｌ／２に等しく、そしてタイマ精度は２／ｆｘｔａｌである。
【００１７】
レイヤ１タイマをＴＤＭＡタイムベースに対して用いたケース２を考慮すると、補正値
【００１８】
【数２】
2004526343.tif 000004
を入力して、１９．４４ＭＨｚにおいて何個のクロック期間及びその端数が経過したかを、１３ＭＨｚクロックを用いて計数することが可能である。
【００１９】
図３に、マルチモードＧＳＭ／ＴＤＭＡ／ＥＤＧＥモードのための無線「クロック・ツリー」が示されている。
図２に示されるような２つの累算器型「レイヤ１」タイマを用いて、異なるそれぞれのモードに関連したタイムベースを計数する。各レイヤ１タイマ累算器は、２６ＭＨｚ水晶クロック（一例として）によりクロックされ、そして前述のように動作する。
【００２０】
たとえこのようにタイムベース（Ｔｂ）が０．２ｐｐｍの精度で計算されても、レイヤ１タイマは、２×Ｔｘｔａｌ（Ｔｘｔａｌは水晶周波数ｆｘｔａｌから導出された送信周波数である。）の立ち上がり端又はその立ち下がり端でのみトリガされ、そのためタイミング信号は、２×Ｔｘｔａｌ（＝Ｔｂ／２４（Ｔｘｔａｌ＝１／１３ＭＨｚの場合））の精度内で立ち上がり又は立ち下がり、その２×Ｔｘｔａｌの精度は、ＧＳＭに対して指定されたようにＴｂ／４の要求精度よりはるかに小さいことが理解されるであろう。
【００２１】
それぞれＧＳＭ及びＴＤＭＡのモードに対して用いられる２つの累算器型「レイヤ１」タイマを備える前述の実施形態において、その２つのタイマが直接、（第２の基準ＰＬＬが「ディープ・スリープ」モード中にオン又はオフにされる場合）その第２の基準ＰＬＬの整定時間を持つ必要なしに水晶クロックを用いることが認められるであろう。しかしながら更に、ＴＤＭＡバーストを受信又は送信するため、２６ＭＨｚ水晶から１９．４４ＭＨｚを導出するため用いられる第１の基準ＰＬＬは、それがトランシーバのＲＸ及びＴＸ部で要求されるオーバサンプリング・クロックを導出するため用いられるので、整定（ｓｅｔｔｌｅ）することが必要であることが認められるであろう。
【００２２】
前述のように、マルチモード・セルラ無線電話トランシーバ１００は、ＲＸ及びＴＸのＶＣＯに対してディジタルの精細な同調ＡＦＣ補正（例えば、ＤＳＣ−データ・コーディング・スキーム−バンドにおいて３Ｈｚ）を達成するため、例えば、２４ビット・マルチ累算器を用いることにより分数化（ｆｒａｃｔｉｏｎａｌｉｚａｔｉｏｎ）の高い値を有する直接のフラクショナルＮシンセサイザ（１３０）を利用する。
【００２３】
ＭＳ（移動局、即ち、マルチモード・セルラ無線電話トランシーバ１００）の搬送周波数が前述のようにフラクショナルＮ（ＧＳＭ５．１０におけるセクション６．１）ＰＬＬ部１３０についてディジタルＡＦＣを適用することにより０．１ｐｐｍ内の正確さであるにも拘わらず、ＧＳＭ（及びＥＤＧＥ）の仕様はまた、ＭＳがその内部タイムベースを、ＢＴＳ（トランシーバ基地局）から受信された信号と適合して、Ｔｂ／４（ここでＴｂはシンボル・ビット期間である。）の精度に保つことを要求する。また、最大６４個のＳＡＣＣＨ（ゆっくりした関連制御チャネル）ブロック期間の、信号の一時的合計損失中に、ＭＳは、そのタイムベースを、０．２ｐｐｍ内の正確さであるクロックを用いて更新されねばならない。
【００２４】
これは、ベースバンドＩＣがその内部タイムベース（レイヤ１タイマ）を、Ｔｂ／４の精度でもって、ＢＴＳから受信された信号と一致して保つことができるべきであることを含意する。タイミングのようなＲＸ又はＴＸバースト・ウィンドウを発生するレイヤ１タイマは別にして、その他のいずれのものもＡＦＣ補正を必要としない。
【００２５】
例えば、アナログ／ディジタル制御部１４０において、ベースバンドＰＬＬから発生されたＤＳＰクロックは、それが計算速度を上げるため用いられるので、ＡＦＣに関連した精度を必要としない。ＲＸ及びＴＸ・ＳＳＩインターフェースがクロックを用いてトランシーバＩＣからベースバンドＩＣへのデータ転送を同期化するにも拘わらず、このクロックは、ｆｏｖｓ＿ＲＸ及びｆｏｖｓ＿ＴＸクロックから導出される。しかしながら、転送されるデータが、ＲＸ＿ＡＣＱ及びＤＭＣＳを介してレイヤ１タイマ・システムによりトリガされる。次いで、これらの信号により、クロック送信が可能になる。
【００２６】
ＲＸ側で、ＤＳＰは、ＧＳＭのための周波数補正バースト方法、又はＴＤＭＡのための他の方法を用いて、受信機の周波数誤差を測定し、次いで、ＡＦＣ値をＲＸの主シンセサイザに与えて、周波数シフトを補償する。
【００２７】
高いＩＦ値（例えば４００ＭＨｚ）を用いた前の世代の受信機（例えば、スーパへテロダイン受信機）においては、主ＬＯはＡＦＣ補正のみ行われるので、ＩＦは、周波数誤差だけシフトされて、第２のＬＯがＡＦＣ補正されないことを補償する。このＩＦシフト値はＩＦ×Ｄｐｐｍに等しく、そして高いＩＦ値のためのそのＩＦ×Ｄｐｐｍは、スペクトルをＳＡＷフィルタの端近くへ望ましくなく移動することができるであろう（例えば、４００ＭＨｚ×２０ｐｐｍ＝８ＫＨｚ）。この考察がまた、二重アップコンバージョンを有する送信機（例えば、ＴＸのＩＦ＝８８ＭＨｚ）に適用され、それは、直接補正され且つＤＡＣを介して同調される水晶を有することにつながり、そしてこのようにして全てのＬＯ（ＲＸ又はＴＸ）が既にＡＦＣ調整され、それは基準が補正されるからである。
【００２８】
しかしながら、直接で且つ非常に低いＩＦ変換受信機／送信機においては、状況は全く異なる。受信機においては、ＩＦが非常に小さいか又はゼロに等しく、そのためＡＦＣ補正後の結果として生じる周波数シフトは無視し得る（例えば、１１５ＫＨｚ×２０ｐｐｍ＝２．３Ｈｚ）。それが、上記実施形態において、なぜｆｏｖｓ＿ＲＸがｆｘｔａｌ／２＝１３ＭＨｚに等しくなるよう選択されるかの理由である。
【００２９】
ＴＤＭＡモードにおいて、受信機のＡ／Ｄ及びフィルタリングは、ｆｏｖｓ＿ＲＸ＝３．８８８ＭＨｚ＝１９．４４ＭＨｚ／５のクロックを必要とする。このクロックは、基準ＰＬＬから導出される。
【００３０】
送信機側では、ＧＳＭモードにおいて、ＡＦＣ補正が、ＧＭＳＫ周波数変調に加えられ、そしてマルチ累算器ＦＲＡＣＮシンセサイザに印加されて、水晶誤差を補償し、そして０．１ｐｐｍのＲＦ出力精度要件に適合する。ＧＳＭパルス成形は、周波数ｆｏｖｓ＿ＴＸ＝ｆｘｔａｌ／６＝４．３３３ＭＨｚで動作する。
【００３１】
送信機側で、ＥＤＧＥモードにおいて、ＡＦＣ補正が主ＬＯ  ＴＸに印加されて、出力ＲＦ周波数精度を０．０４ｐｐｍ内に維持する。また、Ｉ／Ｑ変調器は、類似のｆｏｖｓ＿ＴＸクロック＝ｆｘｔａｌ／６＝４．３３３ＭＨｚでもって動作する。しかしながら、発生されたＩＱ信号は補正されてない水晶クロックを用いているので、位相誤差がＩＱ変調器により発生される。しかしながら、この位相誤差は、次の分析により説明されるように非常に小さい。
【００３２】
例えば、変調器がテスト・トーン（試験信号音）を変調周波数ｆｍｏｄｕｌａｔｉｏｎ＝６７．７ＫＨｚ＝ｆｘｔａｌ／３８４で発生しなければならないと仮定する。必要なパルス成形を含むルックアップＲＯＭテーブルの内容が、補正されないクロックを用いて読み出されるであろう。周波数誤差は、ｆｘｔａｌ×Ｄｐｐｍ／３８４に等しい（例えば、２６ＭＨｚ×２０ｐｐｍ／３８４＝１．３５Ｈｚに等しい）値を有するよう見える。最初の考察で、この誤差を、主ＬＯについてのＡＦＣにより補償することが可能であろう。しかしながら、この誤差は、一定でなく、変調と共に変わる。周波数誤差が±１．３５Ｈｚまで行くことができるであろうし、それは、５７７μ秒の１タイムスロットＴＸにおいて、±５７７μ秒×１．３５Ｈｚ×３６０＝０．２８度のピーク位相誤差を招く。２タイムスロットＴＸを用いる場合、追加されたピーク位相誤差は、比較的小さい０．５６度であろう。
【００３３】
ＥＤＧＥ型変調のため、周波数誤差は一定でないであろう。それは、位相型の誤差をもたらすであろう。２００ＫＨｚの最大周波数偏移に対して、これは、１タイムスロットＴＸにおいて０．８４度のピーク位相誤差をもたらすであろう。
【００３４】
最後に、累算器型レイヤ１タイマにおけるＡＦＣ補正が、前述のように実行され、前述のようにいずれの２次基準ＰＬＬの必要性を取り除く。
図４に、デュアル・モードＧＳＭ及びＷＢＣＤＭＡモードのための無線「クロック・ツリー」が示されている。
【００３５】
図２に示されるような２つの累算器型「レイヤ１」タイマ４１０及び４２０を用いて、ＧＳＭネットワークとＵＭＴＳとに関連したタイムベースを計数する。各レイヤ１タイマ累算器が２６ＭＨｚ水晶クロックによりクロックされる（このクロック周波数は例示だけのものであり、それは、バッファされたメモリがサンプリングされたＩ及びＱデータ値を格納するため入手可能でない場合ＷＢＣＤＭＡのための追加の実時間処理が要求されるならば、もう一つの選択肢としてＵＭＴＳクロックのため１５．３６ＭＨｚであることができるであろう。）。ＧＳＭ用累算器は、１に、ＡＦＣ＿ＧＳＭｂｓと呼ばれるＡＦＣ誤差を加えたもののみを累算し、それは、ＧＳＭ基地局基準クロックに対する水晶周波数誤差（又はｆ＿ｌａｙｅｒ１クロック）であり、そしてＵＭＴＳ用累算器は、１に、ＡＦＣ＿ＵＭＴＳｂｓと呼ばれるＡＦＣ誤差を加えたものを累算し、それは、ＵＭＴＳ基地局基準クロック周波数を水晶周波数（又はｆ＿ｌａｙｅｒ１クロック）で除算したものに等しい比を乗算した、ＵＭＴＳ基地局基準クロックに対する水晶周波数誤差（又は、ｆ＿ｌａｙｅｒ１クロック）である。
【００３６】
累算器タイマは、異なる基準周波数調整を有する２つ又はそれより多い基地局間のＭＳの周波数誤差に依存する異なるＡＦＣ値を用いて増分されるよう構成され得る（ＵＭＴＳにおいて、基地局は、０．０５ｐｐｍのＧＳＭ及びＵＭＴＳ基地局間の周波数誤差を指定し、それは移動装置で０．１ｐｐｍの誤差をもたらし、またその移動装置に対して、異なる受信ＲＦ周波数に起因したＧＳＭ及びＵＭＴＳ基地局間のドップラー周波数誤差が加えられる。）。
【００３７】
レイヤ１累算器への入力値は、ディープ・スリープ・モードで動作するとき、及びｆ＿ｌａｙｅｒ１クロックが実時間クロック源（例えば、３２．７６８ＫＨｚ）に等しいように選択されるとき、変えられることができる。入力値は、３２．７６８ＫＨｚと、無線装置においてディープ・スリープ・モード内で通常測定される水晶クロック源との間の周波数関係に基づいて変えられる。従って、３２．７６８ＫＨｚ信号に関係した水晶クロック周波数のみを時間に対して追跡することを必要とする。
【００３８】
勿論、本発明及び前述の実施形態は、１つ又はそれより多い集積回路の構成で具現化された集積回路形式で用いることが容易であり、そこにおいて本発明の利点の多くは、より大きな意味を持つことが認められるであろう。
【００３９】
前述の共用化されたクロック源を用いたマルチモード無線通信装置が次の利点を与えることが理解されるであろう。
・同時マルチモード動作をサポートすること。
・少ない部品点数及びコスト節約（例えば、３Ｇ  ＵＭＴＳ無線に対して１．５ドル、及び外部構成要素の節約）。
・水晶のみの整定時間に起因したディープ・スリープ・モードからの早い回復。
・マルチモード無線装置におけるディープ・スリープ・モードの単純化。それは、水晶クロックをオフに切り換えることができ且つＲＴＣクロック（例えば、３２ＫＨｚで）をタイムベースとして用いることができ、従って必要なことは様々なクロック周波数よりむしろ３２ＫＨｚ対単一の水晶クロック周波数の関係を追跡するだけだからである。
・全てのモードに対して同じハードウエア資源（ＤＳＰ、メモリ、マイクロコントローラ等）の共用を可能にすることによるディジタル信号処理の単純化。それは、それらのハードウエア資源が、維持された同期を用いて１つの基準クロックから導出された１つのクロック源を用いてクロックされるからである。
【図面の簡単な説明】
【図１】
図１は、本発明を組み込むマルチモード・セルラ無線電話機のブロック概略図を示す。
【図２】
図２は、図１のマルチモード無線装置の１つのエアー・プロトコル・タイマ装置の概略図を示す。
【図３】
図３は、ＧＳＭ／ＴＤＭＡ／ＥＤＧＥモードで動作する図１のマルチモード無線装置における同時モニタリングのためのクロック分配「ツリー」及びディジタルＡＦＣ補正を図示するブロック概略図を示す。
【図４】
図４は、ＧＳＭ／ＷＢＣＤＭＡモードで動作する図１のマルチモード無線装置における同時モニタリングのためのクロック分配「ツリー」及びディジタルＡＦＣ補正を図示するブロック概略図を示す。
【図１】
2004526343.tif 000005
【図２】
2004526343.tif 000006
【図３】
2004526343.tif 000007
【図４】
2004526343.tif 000008
【国際公開パンフレット】
2004526343.tif 000009
2004526343.tif 000010
2004526343.tif 000011
2004526343.tif 000012
2004526343.tif 000013
2004526343.tif 000014
2004526343.tif 000015
2004526343.tif 000016
2004526343.tif 000017
2004526343.tif 000018
2004526343.tif 000019
2004526343.tif 000020
2004526343.tif 000021
2004526343.tif 000022
2004526343.tif 000023
2004526343.tif 000024
2004526343.tif 000025
2004526343.tif 000026
2004526343.tif 000027
2004526343.tif 000028
【国際調査報告】
2004526343.tif 000029
2004526343.tif 000030